(57)【要約】【課題】  圧電素子が傾いて固着され封止管に接触する不良品が発生することなく、リードとの電気的導通および固着力が確保できる圧電振動子を得る。【解決手段】  少なくとも、絶縁部材と、該絶縁部材を貫通する２本以上の金属性リードと、前記絶縁部材周辺部を囲む金属製のヘッダーと、前記金属性リード間に保持され、固着部材により該金属性リードに固定される圧電素子とで構成される圧電振動子において、前記圧電素子を固定する金属製リード間の前記絶縁部材表面の凹部に充填部材を塗布し、前記凹部を平坦面にした圧電振動子とする。【選択図】図１
2005295080.tif 000002
【特許請求の範囲】
【請求項１】
少なくとも、絶縁部材と、該絶縁部材を貫通する２本以上の金属性リードと、前記絶縁部材周辺部を囲む金属製のヘッダーと、前記金属性リード間に保持され、固着部材により該金属性リードに固定される圧電素子とで構成される圧電振動子において、前記圧電素子を固定する金属製リード間の前記絶縁部材表面の凹部に充填部材を塗布し、前記凹部を平坦面にしたことを特徴とする圧電振動子。
【請求項２】
前記充填部材が非導電性部材であることを特徴とする請求項１記載の圧電振動子。
【請求項３】
前記固着部材が加熱硬化型の部材である場合、前記充填部材の軟化点が前記固着部材の加熱温度よりも高いことを特徴とする請求項１又は２記載の圧電振動子。
【発明の詳細な説明】
【技術分野】
【０００１】
本発明は圧電振動子に関するものである。
【背景技術】
【０００２】
図４は、気密端子の正面断面図である。気密端子７は、絶縁部材３と、該絶縁部材３を貫通する２本の金属製リード（以下単にリードと言う）１，１と絶縁部材３周辺部を囲む金属製のヘッダー２で構成されている。絶縁部材３は一般にガラスが用いられ、金属製のヘッダー２と２本のリード１，１を治具により位置決めして絶縁部材３を約８００℃の温度で加熱溶融し、気密接合して構成されている。前記気密端子７のリード１，１間には圧電素子（例えば水晶振動子）が配置固定され、図示していない封止管が被せられて圧電振動子が構成される。
【０００３】
図５は従来の圧電振動子の正面断面図である。リード１，１の間には圧電素子４が挟み込まれ、固着部材５で保持されている。前記固着部材５には半田若しくは導電性接着剤が用いられ、圧電素子４とリード１，１とを機械的に接続するとともに、電気的接続もなしている。前記固着部材５に半田を用いる場合、約１７０〜３００℃の温度で加熱して前記固着部材５を溶融固化する。また、前記固着部材５に導電性接着剤を用いる場合は、加熱硬化（加熱温度：１５０〜１８０℃）、常温硬化、紫外線硬化等により硬化する。その後、前記気密端子７には封止管６が圧入され圧電振動子が構成されている。
【０００４】
このような気密端子は非常に小型な圧電振動子に使用されており高い寸法精度が要求されるものである。ところが前記気密端子７の製造時、必ず絶縁部材３のリード１，１への這い上がり８が生じ、凹部８ａが形成されてしまう。この結果、絶縁部材３表面を平坦面とする事ができず、この状態で圧電素子４を配置すると、図５に示すように圧電素子４が傾いて固着されてしまうという問題がある。傾いて固着された圧電素子４は封止管６の内面に接触し、不良品となってしまう。
【０００５】
図６は従来の圧電振動子の正面断面図で、前記問題点を解決する気密端子の構造を示したものである。図６に示す気密端子は、ヘッダー２内に絶縁部材３を介して気密絶縁的に封着されたリード１，１の上面を、絶縁部材３と同一水平面に形成し、圧電素子４をリード１，１間の絶縁部材表面に支持し、圧電素子４の電極（不図示）とリード１，１とを固着部材５で接合した構成である。本構成については開示された文献がある（特許文献１参照）。
【０００６】
【特許文献１】実開昭５５−１７９４１８号
【発明の開示】
【発明が解決しようとする課題】
【０００７】
図６に示す構成の気密端子を用いて圧電素子を配置固定した場合には、圧電素子の傾き発生率が高くなってしまう。また、特許文献１のような構成を採用しようとしても、リードの上面を絶縁部材と同一水平面に形成するには治具にてリード上面を固定しなければならないが、リードと治具の接触により治具側に摩耗が生じて隙間が発生し、溶融時、この隙間に絶縁部材が入り込むことによりリード上面が絶縁部材で覆われ電気的導通が取れず発振しない不良が発生する。また、気密端子側の接着面積が小さくなり固定力が確保できず、落下等の衝撃により圧電素子が剥がれてしまうという致命的欠陥が発生する。
【０００８】
本発明の目的は、前記問題点を解決し、圧電素子が傾いて固着され封止管に接触する事無く、リードとの電気的導通が確実に取れ、固定力も確保された気密端子を提供することにある。
【課題を解決するための手段】
【０００９】
少なくとも、絶縁部材と、該絶縁部材を貫通する２本以上の金属性リードと、前記絶縁部材周辺部を囲む金属製のヘッダーと、前記金属性リード間に保持され、固着部材により該金属性リードに固定される圧電素子とで構成される圧電振動子において、前記圧電素子を固定する金属製リード間の前記絶縁部材表面の凹部に充填部材を塗布し、前記凹部を平坦面にした圧電振動子とする。
【００１０】
前記充填部材が非導電性部材である圧電振動子とする。
【００１１】
前記固着部材が加熱硬化型の部材である場合、前記充填部材の軟化点が前記固着部材の加熱温度よりも高い圧電振動子とする。
【発明の効果】
【００１２】
本発明によると、圧電素子が傾いて固着され封止管に接触する不良品が発生することなく、リードとの電気的導通および固定力が十分確保できる気密端子が得られる。
【発明を実施するための最良の形態】
【００１３】
少なくとも、絶縁部材と、該絶縁部材を貫通する２本以上の金属性リードと、前記絶縁部材周辺部を囲む金属製のヘッダーと、前記金属性リード間に保持され、固着部材により該金属性リードに固定される圧電素子とで構成される圧電振動子において、前記圧電素子を固定する金属製リード間の前記絶縁部材表面の凹部に充填部材を塗布し、前記凹部を平坦面にした圧電振動子とする。
【実施例１】
【００１４】
図２は本発明の圧電振動子の構成部品である気密端子の正面断面図である。気密端子７は図４に示したものと同一であるが、リード１，１間の絶縁部材３の凹部８ａには充填部材９が塗布され、前記リード１，１間の絶縁部材３表面が平坦面となっている。前記充填部材９は液状の部材で、塗布後固化させるので平坦面を形成しやすい。また、前記充填部材９はリード１，１間をショートさせることのない非導電性部材が良く、例えば低融点ガラスや非導電性接着剤を用いると良い。ここで用いる低融点ガラスは、粉末状のものを例えば樹脂と混ぜ合わせて液状化したもので、これを前記凹部８ａに塗布し、加熱硬化させる。その際、樹脂はガス化され低融点ガラスが残ることとなる。前記低融点ガラスは、前記気密端子７を構成する絶縁部材３に用いるガラスの材質とは異なるもので、融点が３６０℃程度であるため気密端子製造時に発生する這い上がりの現象は生じない。よって凹部８ａを平坦面化することが可能である。
【００１５】
図１は本発明の圧電振動子の正面断面図である。圧電素子４はリード１，１間に配置されるが、絶縁部材３表面にある凹部８ａが充填部材９により平坦面となっているので垂直に配置できる。前記圧電素子４は半田や導電性接着剤の固着部材５によりリード１，１と機械的、電気的接続がなされている。ここで、前記充填部材９は非導電性の部材を用いているので、リード１，１間をショートさせてしまうことはない。また、前記固着材５として半田や加熱硬化型の導電性接着剤が用いられるが、前記の場合、前記充填部材９は、その軟化点（本発明においては、前記充填部材が液状化する温度と定義する）が前記固着部材５の加熱時の温度よりも高い部材であることが好ましい。前記構成にすれば、固着部材５の加熱時に加わる熱により充填部材が溶け、圧電素子が傾いてしまうことがない。
【００１６】
図３は本発明の圧電振動子の構成部品である気密端子を得るための充填部材塗布方法を示す図である。本図はディスペンサーを用いた塗布方法で、リード１，１間の絶縁部材３表面の凹部８ａに、ディスペンサー１０にてシリンジ１１内の充填部材９を、ニードル１２を通して塗布するものである。充填部材９として、例えば、非導電性接着剤を用いた場合、塗布後、加熱硬化、常温硬化、紫外線硬化等により硬化さる。低融点ガラスを用いる場合は加熱硬化する。その後圧電素子４を配置固定し圧電振動子を構成する。充填部材の塗布方法としては、ディスペンサー方式の他に、例えばスクリーン印刷方式でも良い。
【図面の簡単な説明】
【００１７】
【図１】本発明の圧電振動子の正面断面図
【図２】本発明の圧電振動子の構成部品である気密端子の正面断面図
【図３】本発明の圧電振動子の構成部品である気密端子を得るための充填部材塗布方法を示す図
【図４】気密端子の正面断面図
【図５】従来の圧電振動子の正面断面図
【図６】従来の圧電振動子の正面断面図
【符号の説明】
【００１８】
１    金属製リード
２    金属製のヘッダー
３    絶縁部材
４    圧電素子
５    固着部材
６    封止管
７    気密端子
８    這い上がり
８ａ  凹部
９    充填部材
１０  ディスペンサー
１１  シリンジ
１２  ニードル
【図１】
2005295080.tif 000003
【図２】
2005295080.tif 000004
【図３】
2005295080.tif 000005
【図４】
2005295080.tif 000006
【図５】
2005295080.tif 000007
【図６】
2005295080.tif 000008